(57)【要約】      （修正有）【課題】ベルトの張力を調整する油圧式オートテンショナを組付け状態で容易に押し縮めることができると共に、その収縮作業時に誤って伸張されることがないようにした補機駆動用ベルトの張力調整装置を提供することである。【解決手段】伸縮式の油圧式オートテンショナ１０の調整力を付与してテンションプーリ８をベルト５に押付ける。プーリアーム６の揺動中心に対する偏心位置に形成したねじ孔に頭部付きのボルトからなるボス４０のねじ軸をねじ係合し、そのねじ軸のねじ山をボス４０の頭部４２に係合したレンチＴが誤った方向に揺動された際に弛みが生じるような巻き方向として、ボス４０の頭部４２に係合したレンチＴの一方向への揺動時にプーリアーム６が揺動して油圧式オートテンショナ１０が収縮し、他方向への揺動時にプーリアーム６が揺動されることのないようにする。【選択図】図１
2008175258.tif 000002
【特許請求の範囲】
【請求項１】
テンションプーリを回転自在に支持する揺動可能なプーリアームに、リターンスプリングによって伸張する方向に付勢され、負荷される収縮方向の押込み力を内蔵された油圧ダンパで緩衝する伸縮式の油圧式オートテンショナの調整力を付与してテンションプーリが補機駆動用のベルトを押圧する方向にプーリアームを付勢し、前記プーリアームの揺動中心に対する偏心位置に外周が角形のレンチ係合用ボスを設け、そのボスに係合したレンチの一方向の揺動操作により、油圧式オートテンショナが収縮する方向にプーリアームを揺動させるようにした補機駆動用ベルトの張力調整装置において、
前記ボスがプーリアームに対してねじ係合による取付けとされ、そのねじ係合部のねじ山がレンチの他方向の揺動によってボスに回転トルクが負荷された際に弛みが生じるような巻き方向とされていることを特徴とする補機駆動用ベルトの張力調整装置。
【請求項２】
前記ボスがレンチ係合用の角形頭部を有するボルトからなり、そのボルトのねじ軸をプーリアームに形成されたねじ孔にねじ係合し、前記ねじ軸に形成されたねじ山をレンチの他方向の揺動によって頭部に回転トルクが負荷された際に弛みが生じるような巻き方向とした請求項１に記載の補機駆動用ベルトの張力調整装置。
【請求項３】
前記ボスが外周が角形のナットからなり、そのナットをプーリアームに取付けられたスタッドボルトにねじ係合し、前記ナットに形成された雌ねじのねじ山をレンチの他方向の揺動によってナットに回転トルクが負荷された際に弛みが生じるような巻き方向とした請求項１に記載の補機駆動用ベルトの張力調整装置。
【発明の詳細な説明】
【技術分野】
【０００１】
この発明は、オルタネータやウォータポンプ、エアコンのコンプレッサ等の自動車補機を駆動するベルトの張力調整装置に関するものである。
【背景技術】
【０００２】
エンジンのクランクシャフトの回転を各種の自動車補機に伝えるベルト伝動装置においては、ベルトの弛み側にテンションプーリを支持する揺動可能なプーリアームを設け、そのプーリアームに油圧式オートテンショナの調整力を付与して、上記テンションプーリがベルトを押圧する方向にプーリアームを付勢し、ベルトの張力を一定に保持するようにしている。
【０００３】
ベルト伝動装置に使用される油圧式オートテンショナとして、作動油が充填されたシリンダの開口端部をオイルシールの取付けにより密閉し、そのオイルシールをスライド自在に貫通するロッドとシリンダの相互間にリターンスプリングを組込んで、そのシリンダとロッドを相対的に伸張する方向に付勢し、上記シリンダとロッドが収縮する方向に押込み力が負荷されるとき、シリンダの内部に組込まれた油圧ダンパで緩衝するようにした伸縮式の油圧式オートテンショナが知られている。
【０００４】
上記のような伸縮式の油圧式オートテンショナが組込まれた補機駆動用のベルト伝動装置においては、ベルトの交換の際に、油圧式オートテンショナを収縮させた状態でベルトの取付け、取外しを行うようにしているが、油圧式オートテンショナの内部には油圧ダンパが組込まれているため、収縮させる場合、油圧に打ち勝つ大きさの大きな押込み力を負荷する必要があり、収縮作業が極めて困難である。
【０００５】
そこで、プーリアームの揺動中心に対する偏心位置に外周が角形のレンチ係合用のボスを設け、そのボスにレンチを係合して、レンチを揺動操作することにより、比較的小さい揺動操作力によってプーリアームに大きな回転モーメントを付与することができるため、油圧式オートテンショナを容易に収縮させることができ、上記の不都合を解消する上において効果的である。
【発明の開示】
【発明が解決しようとする課題】
【０００６】
ところで、プーリアームにボスを設けた場合において、油圧式オートテンショナを押し縮める収縮作業は、エンジンが自動車車両に搭載された状態での作業であるため、油圧式オートテンショナを押し縮める方向の確認が困難であり、レンチを誤った方向に揺動させるおそれがある。
【０００７】
このとき、油圧式オートテンショナは伸張方向には比較的小さい力で引き伸ばすことができるため、急激に引き伸ばされることもあり、その際、油圧式オートテンショナには大きな衝撃力が付加されるため、損傷し、あるいは分解するおそれがある。
【０００８】
また、油圧式オートテンショナが損傷した状態で使用されると、ベルトが損傷したり破断し、あるいは異音が発生するおそれが生じる。
【０００９】
この発明の課題は、ベルトの張力を調整する油圧式オートテンショナを組付け状態で容易に押し縮めることができると共に、その収縮作業時に誤って伸張されることがないようにした補機駆動用ベルトの張力調整装置を提供することである。
【課題を解決するための手段】
【００１０】
上記の課題を解決するために、この発明においては、テンションプーリを回転自在に支持する揺動可能なプーリアームに、リターンスプリングによって伸張する方向に付勢され、負荷される収縮方向の押込み力を内蔵された油圧ダンパで緩衝する伸縮式の油圧式オートテンショナの調整力を付与してテンションプーリが補機駆動用のベルトを押圧する方向にプーリアームを付勢し、前記プーリアームの揺動中心に対する偏心位置に外周が角形のレンチ係合用ボスを設け、そのボスに係合したレンチの一方向の揺動操作により、油圧式オートテンショナが収縮する方向にプーリアームを揺動させるようにした補機駆動用ベルトの張力調整装置において、前記ボスがプーリアームに対してねじ係合による取付けとされ、そのねじ係合部のねじ山がレンチの他方向の揺動によってボスに回転トルクが負荷された際に弛みが生じるような巻き方向とされている構成を採用したのである。
【００１１】
ここで、ボスは、レンチ係合用の角形頭部を有するボルトからなるものであってもよく、あるいは、外周が角形のナットからなるものであってもよい。ボルトからなるボスの場合、ねじ軸をプーリアームに形成されたねじ孔にねじ係合し、そのねじ軸に形成されたねじ山をレンチの他方向の揺動によって頭部に回転トルクが負荷された際に弛みが生じるような巻き方向とする。
【００１２】
一方、ナットからなるボスの場合、ナットに形成された雌ねじのねじ山をレンチの他方向の揺動によってナットに回転トルクが負荷された際に弛みが生じるような巻き方向とする。
【発明の効果】
【００１３】
上記のように、プーリアームの揺動中心に対する偏心位置に外周が角形のボスをねじ係合により取付け、そのねじ係合部のねじ山をレンチの他方向の揺動によってボスに回転トルクが負荷された際に弛みが生じるような巻き方向としたことによって、上記ボスにレンチを係合して一方向に揺動させると、ボスが締付けられ、そのボスを介してレンチの操作力がプーリアームに伝達されてプーリアームが揺動することになり、プーリアームに大きな回転モーメントを負荷することができる。このため、油圧式オートテンショナを比較的小さな操作力によって容易に収縮させることができ、ベルトの交換作業を簡単に行うことができる。
【００１４】
また、レンチを他方向に揺動させると、ボスに弛みが生じてレンチの操作力がプーリアームに伝達されず、油圧式オートテンショナが伸張する方向にプーリアームを揺動させることができない。このため、油圧式オートテンショナの収縮作業時に、その油圧式オートテンショナが誤って伸張されるのを防止することができる。
【発明を実施するための最良の形態】
【００１５】
以下、この発明の実施の形態を図面に基いて説明する。図１に示すように、クランクシャフト１の端部に取付けたプーリ２と補機の回転軸３に取付けたプーリ４間にはベルト５がかけ渡され、そのベルト５の弛み側ベルト５ａの外側方にプーリアーム６が設けられている。
【００１６】
プーリアーム６は、エンジンブロックに支持された軸７を中心として揺動自在に支持され、そのプーリアーム６の揺動側端部にテンションプーリ８が回転自在に支持されている。
【００１７】
また、プーリアーム６には伸縮式の油圧式オートテンショナ１０が接続され、その油圧式オートテンショナ１０によって、テンションプーリ８がベルト５を押圧する方向にプーリアーム６が付勢されている。
【００１８】
図２に示すように、油圧式オートテンショナ１０は、上端が開口する有底筒状のシリンダ１１を有している。このシリンダ１１はアルミ合金からなり、その内部には鋼製の有底筒状のスリーブ１２が嵌合されている。
【００１９】
シリンダ１１の内部には作動油が充填され、その作動油はシリンダ１１の上部開口を密封するオイルシール１３によって外部への漏洩が防止されている。オイルシール１３はシリンダ１１の内周上部に取付けた止め輪１４によって抜止めされ、その止め輪１４およびオイルシール１３の中心部に挿通されたロッド１５は軸方向にスライド自在とされている。
【００２０】
ロッド１５のシリンダ１１外部に位置する上端部にはばね座１６が取付けられ、そのばね座１６とシリンダ１１の外周下部に設けられたフランジ１７間にロッド１５とシリンダ１１を伸張方向に付勢するリターンスプリング１８が組込まれている。
【００２１】
ばね座１６の上面には連結片１９が形成され、その連結片１９は図示省略したエンジンブロックに揺動自在に連結される。一方、シリンダ１１の下端にも連結片２０が設けられ、その連結片２０はプーリアーム６にねじ込まれるボルト２１を介してそのプーリアーム６に揺動自在に連結され、上記プーリアーム６が軸７を中心にして図２の矢印方向に揺動すると、油圧式オートテンショナ１０が収縮するようになっている。
【００２２】
スリーブ１２内には、ロッド１５に負荷される押込み力を緩衝する油圧ダンパ３０が組込まれている。
【００２３】
油圧ダンパ３０は、ロッド１５の下端部にスリーブ１２の内径面に沿ってスライド自在のプランジャ３１を接続してスリーブ１２内を圧力室３２とリザーバ室３３とに仕切り、そのプランジャ３１にその下方の圧力室３２と上方のリザーバ室３３を連通する通路３４を設け、その通路３４の圧力室３２側の開口に、圧力室３２の圧力がリザーバ室３３の圧力より高くなった場合に通路３４を閉鎖するチェックバルブ３５を設け、上記圧力室３２内に封入された作動油によってシリンダ１１とロッド１５を収縮させる方向の押込み力を緩衝するようにしている。なお、３６は、プランジャ３１をロッド１５の下端に押付けるプランジャスプリングを示す。
【００２４】
上記の構成からなる油圧式オートテンショナ１０においては、ベルト５によって駆動される補機の負荷変動やクランクシャフト１の角速度の変化によってベルト５の張力が変化し、そのベルト５に弛みが生じると、リターンスプリング１８の押圧によってシリンダ１１とロッド１５が伸張する方向に相対移動してベルト５の弛みを吸収する。
【００２５】
このとき、プランジャ３１もロッド１５と同方向に移動するため、圧力室３２の容積が大きくなって圧力が低下し、その圧力がリザーバ室３３の圧力より低くなると、チェックバルブ３５が通路３４を開放するため、リザーバ室３３の作動油は通路３４から圧力室３２に流れ、ロッド１５およびプランジャ３１は外方に向けて急速に移動してベルト５の弛みを直ちに吸収する。
【００２６】
一方、ベルト５の張力が大きくなると、ベルト５からテンションプーリ８およびプーリアーム６を介して油圧式オートテンショナ１０にシリンダ１１とロッド１５を収縮させる方向の押込み力が負荷される。このとき、圧力室３２の圧力はリザーバ室３３の圧力より高くなるため、チェックバルブ３５は通路３４を閉鎖し、圧力室３２に封入された作動油により、油圧式オートテンショナ１０に負荷される上記押込み力が緩衝される。
【００２７】
押込み力がリターンスプリング１８の弾性力より大きい場合、圧力室３２の作動油はスリーブ１２とプランジャ３１の摺動面間に形成された微小なリーク隙間からリザーバ室３３内に流れ、上記押込み力とリターンスプリング１８の弾性力とが釣り合う位置までシリンダ１１とロッド１５は収縮する方向にゆっくりと相対移動し、ベルト５の張力は一定に保持される。
【００２８】
図２および図３に示すように、プーリアーム６の揺動中心に対する偏心位置にはボス４０が設けられている。ボス４０はねじ軸４１の端部に頭部４２を設けたボルトからなり、上記頭部４２は角形とされてめがねレンチ等のレンチＴが係合可能とされている。
【００２９】
ボス４０は、プーリアーム６に形成されたねじ孔４３に対するねじ軸４１のねじ係合によって取付け状態とされている。ここで、ねじ軸４１の外周に形成されたねじ山は、頭部４２に係合したレンチＴの矢印で示す一方向の揺動時に締まり勝手となり、また、他方向（矢印で示す反対の方向）の揺動時に弛み勝手となるような巻き方向とされている。
【００３０】
実施の形態で示す補機駆動用ベルトの張力調整装置は上記の構造からなり、ベルト交換によるベルト５の取外し、あるいはベルト５の取付けに際しては、油圧式オートテンショナ１０のシリンダ１１とロッド１５を相対的に収縮する方向に相対移動させて油圧式オートテンショナ１０を収縮させ、ベルト５に弛みを与えた状態で、そのベルト５の交換を行う。
【００３１】
油圧式オートテンショナ１０の収縮に際しては、図２に示すように、ボス４０の頭部４２にレンチＴを係合し、そのレンチＴを同図の矢印で示す一方向に揺動させる。レンチＴの矢印方向への揺動時、ボス４０のねじ軸４１は締付けられるため、そのボス４０からプーリアーム６にレンチＴの操作力が負荷されることになる。その操作力の負荷によりプーリアーム６が軸７を中心に揺動し、油圧式オートテンショナ１０が収縮する。
【００３２】
このように、油圧式オートテンショナ１０の収縮操作は、ボス４０の頭部４２に係合させたレンチＴの揺動によるため、プーリアーム６に大きな回転モーメントを負荷することができ、比較的小さな操作力によって油圧式オートテンショナ１０を簡単に収縮させることができる。したがって、ベルト５の交換作業を容易に行うことができる。
【００３３】
油圧式オートテンショナ１０を収縮させる作業は、エンジンが車両に搭載された状態での作業であるため、油圧式オートテンショナ１０を収縮させる方向の確認が困難であり、レンチＴを誤った方向(矢印と反対の方向)に揺動させるおそれがある。
【００３４】
この場合、レンチＴからボス４０の頭部４２に負荷される回転トルクによりねじ軸４１に弛みが生じるため、プーリアーム６に回転モーメントが負荷されず、プーリアーム６は揺動しない。
【００３５】
このため、油圧式オートテンショナ１０の収縮作業時に、その油圧式オートテンショナ１０が誤って伸張されることはなく、油圧式オートテンショナ１０が損傷し、あるいは、分解するという不都合の発生はない。
【００３６】
図３に示す実施の形態では、ボス４０がボルトからなるものを示したが、図４に示すように、ボス４０がナットからなるものであってもよい。ナットからなるボス４０の場合、プーリアーム６にスタッドボルト４４を固定し、そのスタッドボルト４４にナットからなるボス４０をねじ係合する。
【００３７】
このとき、ボス４０の内周に形成された雌ねじのねじ山は、ボス４０に係合したレンチＴを図２の矢印で示す一方向に揺動させた際に締まり勝手となり、また、他方向（矢印で示す反対の方向）に揺動させた際に弛み勝手となるような巻き方向としておく。この場合においても、ボス４０に係合したレンチＴの揺動操作によって油圧式オートテンショナを収縮させる作業の際に、レンチＴを誤った方向に揺動させると、ボス４０に弛みが生じるため、プーリアーム６は揺動せず、油圧式オートテンショナ１０が誤って伸張されるのを防止することができる。
【図面の簡単な説明】
【００３８】
【図１】この発明に係る補機駆動用ベルトの張力調整装置の正面図
【図２】図１の油圧式オートテンショナの部分を拡大して示す断面図
【図３】図２のIII−III線に沿った断面図
【図４】ボスの他の例を示す断面図
【符号の説明】
【００３９】
６    プーリアーム
８    テンションプーリ
１０  油圧式オートテンショナ
１８  リターンスプリング
３０  油圧ダンパ
４０  ボス
４１  ねじ軸
４２  頭部
４３  ねじ孔
４４  スタッドボルト
【図１】
2008175258.tif 000003
【図２】
2008175258.tif 000004
【図３】
2008175258.tif 000005
【図４】
2008175258.tif 000006